(57)【要約】【課題】この発明は、駅混雑時や年配者または障害者等が顧客でも、無線ＩＣカードの残額照会が可能になる。【解決手段】この発明は、金銭的価値を有する無線ＩＣカードを所持する人の改札の内外への通行を許可する駅務システムにおいて、上記無線ＩＣカードに対応する携帯端末の番号をあらかじめ登録し、上記無線ＩＣカードの改札処理に伴う新たな金銭的価値を判断し、この判断した無線ＩＣカードの新たな金銭的価値と改札処理の内容とを上記携帯端末により通知するものである。【選択図】　　図２
2004038791.tif 000002
【特許請求の範囲】
【請求項１】
金銭的価値を有する無線ＩＣカードを所持する人の改札の内外への通行を許可する駅務システムにおいて、
上記無線ＩＣカードに対応する携帯端末の番号をあらかじめ登録し、
上記無線ＩＣカードの改札処理に伴う新たな金銭的価値を判断し、
この判断した無線ＩＣカードの新たな金銭的価値と改札処理の内容とを上記携帯端末により通知する、
ことを特徴とする駅務システムにおける無線ＩＣカードの金銭的価値通知方法。
【請求項２】
金銭的価値を有する無線ＩＣカードと、
この無線ＩＣカードとの無線通信により上記無線ＩＣカードからの金銭的価値の引去りにより駅務処理を実行する駅務端末と、
メール機能を備えているメール端末と、
上記メール端末と通信機能により接続され、上記駅務端末と通信回線により接続され、上記無線ＩＣカードとの改札処理に伴う新たな上記無線ＩＣカードの金銭的価値を上記メール端末へ送信する処理システムと、
からなることを特徴とする駅務システム。
【請求項３】
上記駅務システムの処理システムが、
上記無線ＩＣカードの金銭的価値の更新時の連絡先としてのメール端末のアドレスを登録する登録手段を有することを特徴とする請求項２に記載の駅務システム。
【請求項４】
割引証明が登録されている割引証明ＩＣカードから登録されている割引証明を読取る第１の読取手段と、この第１の読取手段による割引証明が読取られた際に、割引設定と区間情報と期間情報と認証情報を登録した改札用ＩＣカードを発行する発行手段と、この発行手段により改札用ＩＣカードを発行する際、上記割引証明ＩＣカードに上記改札用ＩＣカードに登録された認証情報と同一の認証情報を登録する登録手段とを有する発行システムと、
上記改札用ＩＣカードに登録されている区間情報と期間情報と認証情報を読取る第２の読取手段と、上記割引証明ＩＣカードに登録されている認証情報を読取る第３の読取手段と、上記第２の読取手段による区間情報と期間情報と、上記第２の読取手段による上記改札用ＩＣカードの認証情報と上記第３の読取手段による上記割引証明ＩＣカードの認証情報の一致とにより、上記改札用ＩＣカードの正当性を判断する判断手段と、この判断手段により上記改札用ＩＣカードの正当性が判断された際に、改札処理を実行する実行手段とを有する駅務システムと、
を備えたことを特徴とする駅務システムにおける割引証明確認システム。
【請求項５】
割引証明が登録されている割引証明ＩＣカードを用いて割引設定と区間情報と期間情報と認証情報を登録した改札用ＩＣカードが発行され、かつ上記改札用ＩＣカードに登録した認証情報と同一の認証情報が上記割引証明ＩＣカードに登録されている駅務システムにおいて、
上記改札用ＩＣカードに登録されている区間情報と期間情報と認証情報を読取る第１の読取手段と、
上記割引証明ＩＣカードに登録されている認証情報を読取る第２の読取手段と、
上記第１の読取手段による区間情報と期間情報と、上記第１の読取手段による上記改札用ＩＣカードの認証情報と上記第２の読取手段による上記割引証明ＩＣカードの認証情報の一致とにより、上記改札用ＩＣカードの正当性を判断する判断手段と、
この判断手段により上記改札用ＩＣカードの正当性が判断された際に、改札処理を実行する実行手段と、
を有することを特徴とする駅務システム。
【発明の詳細な説明】
【０００１】
【発明の属する技術分野】
この発明は、たとえば、無線ＩＣカードの定期券機能あるいはストアードフェア機能により、改札内への入場あるいは改札内からの出場が行われる自動改札機などの駅務システムに関する。
【０００２】
【従来の技術】
自動改札機に於いて、無線ＩＣカードを利用した顧客が通過する時に、引き去り運賃額やＩＣカード残額等を案内表示部に表示している。
自動改札機に於いて、無線ＩＣカードの利用顧客にその利用明細や残額を通知する方法としては、顧客に自動改札機通過時に表示する案内表示部の内容を直接目で見てもらうか、駅の係員窓口に行って調べてもらうしかなかった。
しかし、駅混雑時や年配者または障害者等が顧客の場合、自動改札機を通過する一瞬の間に案内表示部から内容を読み取るには、非常に困難なものがあった。
【０００３】
また、自動改札機に於いて、顧客が自動改札機通過時に使用した乗車券の割引種別と、顧客自身の割引資格が一致しているか否かを厳密に判断する手段がない為、例えば他人の定期券を不正使用される等の問題が発生していた。
【０００４】
自動改札機に於いて、顧客が自動改札機通過時に使用した乗車券の割引種別と、顧客自身の割引資格が一致しているか否かの判断に利用できるのは、唯一、通過する顧客の高さ検知だけである。
【０００５】
【発明が解決しようとする課題】
この発明は、駅混雑時や年配者または障害者等が顧客でも、無線ＩＣカードの残額照会が可能になる。
この発明は、運賃割引された乗車券の不正使用を防止できる。
【課題を解決するための手段】
この発明は、金銭的価値を有する無線ＩＣカードを所持する人の改札の内外への通行を許可する駅務システムにおいて、上記無線ＩＣカードに対応する携帯端末の番号をあらかじめ登録し、上記無線ＩＣカードの改札処理に伴う新たな金銭的価値を判断し、この判断した無線ＩＣカードの新たな金銭的価値と改札処理の内容とを上記携帯端末により通知するものである。
【０００６】
この発明は、金銭的価値を有する無線ＩＣカードと、この無線ＩＣカードとの無線通信により上記無線ＩＣカードからの金銭的価値の引去りにより駅務処理を実行する駅務端末と、メール機能を備えているメール端末と、上記メール端末と通信機能により接続され、上記駅務端末と通信回線により接続され、上記無線ＩＣカードとの改札処理に伴う新たな上記無線ＩＣカードの金銭的価値を上記メール端末へ送信する処理システムからなる。
【０００７】
この発明は、割引証明が登録されている割引証明ＩＣカードから登録されている割引証明を読取る第１の読取手段と、この第１の読取手段による割引証明が読取られた際に、割引設定と区間情報と期間情報と認証情報を登録した改札用ＩＣカードを発行する発行手段と、この発行手段により改札用ＩＣカードを発行する際、上記割引証明ＩＣカードに上記改札用ＩＣカードに登録された認証情報と同一の認証情報を登録する登録手段とを有する発行システムと、上記改札用ＩＣカードに登録されている区間情報と期間情報と認証情報を読取る第２の読取手段と、上記割引証明ＩＣカードに登録されている認証情報を読取る第３の読取手段と、上記第２の読取手段による区間情報と期間情報と、上記第２の読取手段による上記改札用ＩＣカードの認証情報と上記第３の読取手段による上記割引証明ＩＣカードの認証情報の一致とにより、上記改札用ＩＣカードの正当性を判断する判断手段と、この判断手段により上記改札用ＩＣカードの正当性が判断された際に、改札処理を実行する実行手段とを有する駅務システムとからなる。
【０００８】
この発明は、割引証明が登録されている割引証明ＩＣカードを用いて割引設定と区間情報と期間情報と認証情報を登録した改札用ＩＣカードが発行され、かつ上記改札用ＩＣカードに登録した認証情報と同一の認証情報が上記割引証明ＩＣカードに登録されている駅務システムにおいて、上記改札用ＩＣカードに登録されている区間情報と期間情報と認証情報を読取る第１の読取手段と、上記割引証明ＩＣカードに登録されている認証情報を読取る第２の読取手段と、上記第１の読取手段による区間情報と期間情報と、上記第１の読取手段による上記改札用ＩＣカードの認証情報と上記第２の読取手段による上記割引証明ＩＣカードの認証情報の一致とにより、上記改札用ＩＣカードの正当性を判断する判断手段と、この判断手段により上記改札用ＩＣカードの正当性が判断された際に、改札処理を実行する実行手段とからなる。
【０００９】
【発明の実施の形態】
以下、この発明の実施の形態について図面を参照して説明する。
図１、図２は、この発明の実施の形態に係る駅務システムの概略構成を示すものである。
すなわち、駅務システムは、種々の駅務機器を有する複数の駅１、…とホストコンピュータ１０からなり、上記各駅１、…とホストコンピュータ１０は基幹ＬＡＮ等によりオンライン接続されている。
【００１０】
上記各駅１、…は、設置されている駅全体を制御し他の駅１、…とホストコンピュータ１０と上記基幹ＬＡＮ等によりオンライン接続されているデータ受信装置としての駅制御装置２と、この駅制御装置２に回線７を介して直接接続される複数台の自動精算機３、…と、複数台の自動券売機４、…と、複数台の自動改札機５、…と、複数台の自動定期券発売機６、…とから構成されている。
【００１１】
上記自動精算機３、…は、乗車券、回数カード、定期券に対する精算を行い、自動改札機５を通過できる精算券を発行するものであり、この精算機全体を制御する制御部１１とデータ記憶用のメモリ１２と精算の指示を行う操作部１３と精算処理を行い精算券を発行する精算部１４と回線７を介して駅制御装置２と接続される通信制御部１５と現金処理部１６とカード処理部１７から構成されている。操作部１３は、タッチパネル内蔵の液晶表示部（ＬＣＤ）によって構成される表示部１３ａを有している。
【００１２】
上記自動券売機４、…は、券売機用の運賃データに基づいて、乗車券等を発行するものであり、この券売機全体を制御する制御部２１とデータ記憶用のメモリ２２と発券の指示を行う操作部２３と発券処理を行い乗車券を発行する発券部２４と回線７を介して駅制御装置２と接続される通信制御部２５と現金処理部２６とカード処理部２７から構成されている。操作部２３は、タッチパネル内蔵の液晶表示部（ＬＣＤ）によって構成される表示部６４を有している。
【００１３】
上記自動改札機５、…は、乗車券や定期券の投入に伴い入場業務や出場業務の改札処理を行うものであり、この改札機全体を制御する制御部３１とデータ記憶用のメモリ３２と改札処理を行う改札部３３と回線７を介して駅制御装置２と接続される通信制御部３４から構成されている。
【００１４】
上記自動定期券発売機６、…は、新規定期券、継続定期券の発行を行うものであり、この自動定期券発売機全体を制御する制御部４１とデータ記憶用のメモリ４２と発行の指示を行う操作部４３と発行処理を行う発行部４４と回線７を介して駅制御装置２と接続される通信制御部４５から構成されている。操作部４３は、タッチパネル内蔵の液晶表示部（ＬＣＤ）によって構成される表示部４３ａを有している。
【００１５】
上記駅制御装置２は、全体を制御する制御部５１とデータ記憶用のメモリ５２と回線７を介して自動精算機３、…、自動券売機４、…と、自動改札機５、…と、自動定期券発売機６、…と接続される通信制御部５３と基幹ＬＡＮを介してホストコンピュータ１０と接続される通信制御部５４から構成されている。
【００１６】
ホストコンピュータ１０には、顧客管理データベース１０ａが接続され、種々の顧客データが登録されるようになっている。ホストコンピュータ１０には、インターネット網を介して携帯電話あるいはパソコン等に接続可能な構成とされ、メールが送れる構成となっている。
【００１７】
［第１の実施形態］
次に、第１の実施形態として、上記自動券売機４について詳細に説明する。
図３は、この発明の自動券売機４の外観斜視図を示す図である。
この自動券売機４は、駅等に設置され、購入希望者の操作および料金投入に従い、乗車券（切符、普通券）を発行するものである。
【００１８】
上記自動券売機４の前面には、固定の案内を表示する固定案内表示部６１と上部、下部の２つの接客部６２、６３が設けられている。この接客部６２、６３が上記操作部２３に対応している。
上部の接客部６２には、図４に示すように、種々の案内を表示したりするタッチパネル内蔵のカラー液晶表示部（ＬＣＤ）によって構成される表示部（接客パネル、液晶タッチパネル）（表示入力手段）６４、係員を呼び出す呼び出しボタン６５、券を複数枚購入する際に投入する複数枚購入ボタン６６が設けられている。
【００１９】
表示部６４は、投入金額表示部６４１と料金釦表示部６４２とにより構成されている。
下部の接客部６３には、図５に示すように、プリペイドカード（ＳＦカード、ストアードフェアカード、前払いカード）、定期券が挿入されるとともに挿入されたプリペイドカード、定期券が排出されるカード挿入／排出口６７、発行される新規のきっぷ等の乗車券が発行される乗車券発行口６８、使用可能な紙幣を表示する使用可能紙幣表示部６９、紙幣を挿入する紙幣挿入口７０、紙幣が排出される紙幣排出口７１、硬貨が投入される硬貨投入口７２、及びテンキー部７３が設けられている。また、上記テンキー部７３の裏側には、釣銭放出口（図示しない）が有り、この釣銭放出口からの釣銭は受け皿（図示しない）に放出されるようになっている。
【００２０】
上記表示部６４の料金釦表示部６４２において、現金あるいはプリペードカードが投入された際に、図６に示すように、その金額内の各口座の料金釦６４ａ、…が表示画面の上側の列から金額順に表示されるとともに、釦下部表示釦６４ｂが表示画面の下側に表示される。
【００２１】
この表示状態において、釦下部表示釦６４ｂが投入された際に、図７に示すように、表示画面の下側の１列に、最低金額からの金額順の複数の料金釦６４ａ、…と次頁釦６４ｃと、釦上部表示釦６４ｄが表示される。次頁釦６４ｃが投入されるごとに、現在表示されている料金釦６４ａ、…に続く金額の料金釦６４ａ、…が表示される。
【００２２】
この際、入力頻度の高い、近距離用の料金釦６４ａ、…が、まず、表示部６４の表示画面（料金釦表示部６４２）の下側に表示され、車椅子による利用者あるいは所定の身長に達しない利用者が操作し易い位置へ変更される。
【００２３】
さらに、この表示状態において、釦上部表示釦６４ｄが投入された際に、図６に示す表示に戻る。
また、釦下部表示釦６４ｂが投入された際に、図８に示すように、投入された金額内の料金釦６４ａ、…が表示画面の下側の列から金額順に表示されるとともに、釦上部表示釦６４ｄが表示画面の上側に表示されるものであっても良い。
【００２４】
上記自動券売機４の制御回路は、上記した図２に示すように、制御部２１、メモリ２２、操作部（接客部６２、６３）２３、発券部２４、通信制御部２５により構成されている。
また、制御部２１には、カード、定期券の読取り処理等を行うカードメカ部２１ａ、投入硬貨の鑑査処理等を行う硬貨メカ部２１ｂ、投入紙幣の鑑査処理等を行う紙幣メカ部２１ｃを有している。
【００２５】
上記自動券売機４のメモリ２２には、料金釦表示部６４２に表示される種々の表示データが登録されている表示データメモリ部２２ａを有している。この表示データメモリ部２２ａには、投入された金額内の料金釦６４ａ、…の表示パターンと釦下部表示釦６４ｂの表示パターンとからなる通常表示の表示データと、投入された金額内の料金釦６４ａ、…の一部の表示パターンと次頁釦６４ｃの表示パターンと釦上部表示釦６４ｄの表示パターンとからなる複数枚構成の障害者表示の表示データがビットマップデータで登録されている。
【００２６】
次に、乗車券（切符）の購入処理について、図９に示すフローチャートを参照しつつ説明する。
たとえば今、紙幣挿入口７０から紙幣を挿入するか、硬貨投入口７２から硬貨を投入するか、カード挿入／排出口６７からプリペイドカードを挿入する（ＳＴ１）。これにより、制御部２１は投入された金額を判断し、その金額を表示部６４の投入金額表示部６４１で表示する。また、制御部２１は、投入された金額内の料金釦６４ａ、…の表示パターンと釦下部表示釦６４ｂの表示パターンとからなる通常表示の表示データをメモリ２２の表示データメモリ部２２ａから読出し、表示部６４の料金釦表示部６４２で表示する（ＳＴ２、３）。これにより、表示部６４の料金釦表示部６４２において、図６に示すように、投入金額（３５０円）内の料金釦６４ａ、…が表示画面の上側の列から金額順に表示され、釦下部表示釦６４ｂが表示画面の下側に表示される。
【００２７】
この表示状態において、車椅子の利用者が釦下部表示釦６４ｂを投入する（ＳＴ４）。すると、制御部２１は、投入された金額内の料金釦６４ａ、…の一部の表示パターンと次頁釦６４ｃの表示パターンと釦上部表示釦６４ｄの表示パターンとからなる１枚目の障害者表示の表示データをメモリ２２の表示データメモリ部２２ａから読出し、表示部６４の料金釦表示部６４２で表示する（ＳＴ５、６）。これにより、表示部６４の料金釦表示部６４２において、図７に示すように、投入金額内の料金釦６４ａ、…の一部と次頁釦６４ｃとが表示画面の下側の１列（下部に集中して）に表示され、釦上部表示釦６４ｄが表示画面の上側に表示される。
この際、制御部２１は、その表示データに基づいて、タッチキー（タッチパネル）の関係を変更する。
【００２８】
この表示状態において、次頁釦６４ｃが投入された際（ＳＴ７）、投入された金額内の料金釦６４ａ、…の一部の表示パターンとの表示パターンと釦上部表示釦６４ｄの表示パターンとからなる２枚目の障害者表示の表示データをメモリ２２の表示データメモリ部２２ａから読出し、表示部６４の料金釦表示部６４２で表示する（ＳＴ５、６）。これにより、表示部６４の料金釦表示部６４２において、図１０に示すように、投入金額内の料金釦６４ａ、…の一部と次頁釦６４ｃとが表示画面の下側の１列（下部に集中して）に表示され、釦上部表示釦６４ｄが表示画面の上側に表示される。
この際、制御部２１は、その表示データに基づいて、タッチキー（タッチパネル）の関係を変更する。
【００２９】
この場合、障害者表示の表示データは、４枚目までで、４枚目の表示データの次頁釦６４ｃの投入により、１枚目の表示データに戻る。
さらに、ステップ５、６による表示状態において、釦上部表示釦６４ｄが投入された際（ＳＴ８）、ステップ２、３による表示状態に戻る。
【００３０】
また、上記ステップ２、３による表示状態において、料金釦６４ａ、…の１つが投入された際（ＳＴ９）、あるいは上記ステップ５、６による表示状態において、料金釦６４ａ、…の１つが投入された際（ＳＴ１０）、制御部２１は、その金額の乗車券を発券部２４により発行する（ＳＴ１１）。
【００３１】
また、上記ステップ２、３による表示状態において、車椅子利用の障害者用の定期券がカード挿入／排出口６７から挿入された際（ＳＴ１２）、制御部２１は、定期券から読取ったデータ内に車椅子利用の障害者を示すデータにより、車椅子利用を判断し上記ステップ５、６による表示状態に進む。
上記したように、自動券売機の接客操作において、車椅子利用者がタッチパネルを押下し易くなる。また、タッチパネルに料金口座釦を表示させるまでの操作においても、車椅子利用者の操作性が容易になる。
【００３２】
［第２の実施形態］
次に、第２の実施形態として、上記自動精算機３による精算処理について説明する。
上記自動精算機３は、乗車券、定期券、プリペイドカード等の金銭的価値を有するカードとしての金額カード、利用区間と回数が指定されている回数カードの乗車媒体に基づいて精算処理を行うものである。
【００３３】
次に、回数カードと定期券による精算処理について、図１１に示すフローチャートを参照しつつ説明する。
たとえば、図１２に示すように、Ｄ駅に設置される自動精算機３において、乗車区間が決まっている回数カード（Ａ駅⇔Ｂ駅）と定期券（Ｃ駅⇔Ｄ駅）によりその間の（Ｂ駅⇔Ｃ駅）精算が行われ、精算券が発行放出されると共に、挿入した２枚の乗車媒体が返却放出される際の処理を説明する。
【００３４】
まず、利用客は液晶表示部１３ａにより同時精算モードを設定する（ＳＴ２１）。ついで、１枚目の回数カードと２枚目の定期券がカード挿入口（図示しない）から順次挿入され（ＳＴ２２）、これらの回数カードと定期券の内容がカード処理部１７で読取られ、この読取結果を制御部１１に出力する（ＳＴ２３）。制御部１１はそれらの回数カードと定期券の読取内容により精算金額を判断する（ＳＴ２４）。また、制御部１１は液晶表示部１３ａで、「精算金額は○○○円です、現金あるいはカードを投入して下さい」という案内を表示する（ＳＴ２５）。
【００３５】
この案内に応じて、利用客が紙幣あるいは硬貨を投入する（ＳＴ２６）。この紙幣あるいは硬貨の投入金額が現金処理部１６により鑑別され（ＳＴ２７）、鑑別されたこれらの紙幣、硬貨の投入金額を制御部１１に出力する。これにより、制御部１１はその投入金額から上記精算金額を差引いた釣銭金額を算出し（ＳＴ２８）、液晶表示部１３ａで表示する（ＳＴ２９）。
【００３６】
そして、制御部１１は精算部１４に対して、精算券の発行を指示する（ＳＴ３０）。これにより、精算部１４により精算券を発行する（ＳＴ３１）。このとき、現金処理部１６は釣銭がある場合には釣銭硬貨を放出する（ＳＴ３２）。
また、制御部１１はカード処理部１７からの回数カードの利用区間と定期券の利用区間のどちらが、この装置の設置駅（精算駅）に対応しているかを判断し（ＳＴ３３）、対応してる方を上にした状態で一括返却する（ＳＴ３４）。
【００３７】
たとえば、回数カードの利用区間内にこの装置の設置駅が対応している際、制御部１１はカード処理部１７に対して回数カードを上にし、定期券を下にした状態での一括の返却を指示する。
これにより、カード処理部１７は、回数カードを上にし、定期券を下にした状態で一括返却する。
【００３８】
また、定期券の利用区間内にこの装置の設置駅が対応している際、制御部１１はカード処理部１７に対して定期券を上にし、回数カードを下にした状態での一括の返却を指示する。
これにより、カード処理部１７は、定期券を上にし、回数カードを下にした状態で一括返却する。
【００３９】
また、２枚の定期券によりそれらの利用区間の間の精算を行う場合も、上記同様に動作するようになっている。この自動精算機３の設置駅を区間に含む方の定期券を上にして返却する。
また、２枚の金額カードとしてのプリペイドカードにより、精算を行った際に、一方のカードの残額が０円になった場合、残額の残っている方のカードを上にして返却するものである。
【００４０】
この後、自動改札機５を顧客が利用する時、残額０円のプリペイドカードを挿入するミスを防止できる。
放出された複数枚の媒体をそのままパスケース等に入れて保管し、それらの媒体を自動改札機で使う時点になっても、上側にある媒体をそのまま自動改札機に挿入できる。
【００４１】
また、２枚の定期券で乗り継がれている乗車区間に対しての乗り越し精算が行われた場合は、この自動精算機３が設置されている駅に近い方の乗車区間の定期券が上になる様にして、２枚の定期券を放出する。
乗車区間が違う定期券を挿入するミスにおいても、防止できる。
【００４２】
上記実施例としては自動精算機３の場合について説明したが、自動券売機４、自動定期券発売機６の場合も同様に実施できる。
すなわち、自動券売機４できっぷ（普通券）を購入する時、購入支払い方法として２枚のＳＦカード（ストアードフェアカード、前払いカード）が使用された場合（２枚のＳＦカードの残額を合算して購入する場合）は、きっぷを発行放出すると共に、残額のあるＳＦカードが上になる様にして２枚のＳＦカードを返却放出する。
【００４３】
自動券売機４できっぷ（普通券）を購入する時、購入支払い方法として利用履歴印字エリアが満杯となったＳＦカードが使用された場合は、自動的にＳＦカードを再発行して残額０円化した印字エリア満杯ＳＦカードと共に顧客に返却される事が多い。この様な時は、きっぷを発行放出すると共に、再発行されたＳＦカードが上になる様にして２枚のＳＦカードを返却放出する（残額のあるＳＦカードが上になる様にして２枚のＳＦカードを返却放出する）。
【００４４】
自動定期券発売機６で、今顧客が持っている定期券の乗車区間Ａから連続して乗り継ぎ可能な乗車区間Ｂの定期券が新規に購入された場合は、乗車区間Ａのデータを読み取る為に使用した挿入定期券の返却と、新規に発行した定期券が放出される。この様な時は、この自動定期券発売機６が設置されている駅に近い方の乗車区間の定期券が上になる様にして、２枚の定期券を放出する。
【００４５】
［第３の実施形態］
次に、第３の実施形態として、無線式のＳＦ（ストアードフェア）ＩＣカードにより改札処理が行われる自動改札機５において、事前登録された顧客のＩＣカードが通過した場合は、ＩＣカードの利用情報を上記ＩＣカードの所有者にメールで通知する。入場時の場合は、入場前のＩＣカードの残額と引き去り額を通知する。また入場時のみの通知も可能である。出場時の場合は、引き去り額と出場後のＩＣカード残額を通知する。また、出場時のみの通知も可能である。
【００４６】
この場合、図２に示すように、ホストコンピュータ１０には、インターネット網を介して携帯電話あるいはパソコン等に接続可能な構成とされ、メールが送れる構成となっている。
上記ホストコンピュータ１０に接続される顧客管理データベース１０ａには、図１３に示すように、顧客のＩＣカード番号に対して残額、入出場日時、入出場駅、残高等のメール通知の有無、メール通知先が対応して記憶されている。
【００４７】
次に、このような構成において、図１４、図１５に示すフローチャートを参照しつつ改札処理を説明する。
すなわち、所定の駅１の自動改札機５にてＩＣカードにより入場を行った際（ＳＴ４１）、制御部３１はこの内容として最低区間料金を差引いた新残額と、入場日時、入場駅、ＩＣカード番号を上記駅制御装置２と基幹ＬＡＮを介してホストコンピュータ１０に通知する（ＳＴ４２）。これにより、ホストコンピュータ１０は、顧客管理データベース１０ａに登録されているＩＣカード番号が同一の顧客管理データを供給されるデータにより更新し（ＳＴ４３）、この更新前の残額と引去り額を上記ＩＣカード番号に対応して記憶されている携帯電話のメール番号により、インターネットを介して顧客の携帯電話等にメールで通知する（ＳＴ４４）。
【００４８】
また、所定の駅１の自動改札機５にてＩＣカードにより出場を行った際（ＳＴ４５）、制御部３１はこの内容として最低区間料金を差引いた区間料金より計算される新残額と、出場日時、出場駅、ＩＣカード番号を上記駅制御装置２と基幹ＬＡＮを介してホストコンピュータ１０に通知する（ＳＴ４６）。これにより、ホストコンピュータ１０は、顧客管理データベース１０ａに登録されているＩＣカード番号が同一の顧客管理データを供給されるデータにより更新し（ＳＴ４７）、この引去り額と新残額を上記ＩＣカード番号に対応して記憶されている携帯電話のメール番号により、インターネットを介して顧客の携帯電話等にメールで通知する（ＳＴ４８）。
【００４９】
上記したように、自動改札機５において、入場確認されたＩＣカードが、事前登録された顧客のＩＣカードと認識された場合は、入場前のＩＣカード残額と引き去り額を、上記顧客にメールで通知する。
出場確認されたＩＣカードが、事前登録された顧客のＩＣカードと認識された場合は、引き去り額と出場後のＩＣカードの残額を、上記顧客にメールで通知する。
これにより、自動改札機５の利用時において、駅混雑時や年配者または障害者等が顧客でも、ＩＣカードの残額照会が可能になる。入場時のみの残額照会も可能になる。出場時のみの残額照会も可能になる。
【００５０】
［第４の実施形態］
次に、第４の実施形態として、無線式の定期券としてのＩＣカード１００により改札処理が行われる自動改札機５において、上記ＩＣカード１００のメモリ１０１にＩＤコード記録エリア１０２を設け、このＩＤコード記録エリア１０２に何らかの情報がセットされている場合は、「ＩＣカードになっている割引証明書（ＩＣ通学証カード等）１０３」の有無と有効性をチェックして、通過可否判定を行う。また、ＩＤコード記録エリア１０２が空白で上記のＩＤコードが記録されていない場合は、自動定期券発売機６側で割引証明確認が終了している定期券として取り扱い、自動改札機５での割引証明の確認は行わない。
無線ＩＣカードは、ＣＰＵとメモリと送受信部とアンテナにより構成されている。
【００５１】
まず、上記ＩＣカード１００のメモリ１０１のＩＤコード記録エリア１０２に、発行時にＩＤコードが記録されており、通学定期、身障者定期などの運賃割引された券種の乗車券の正当性を自動改札機５により自動的に確認するものについて説明する。
【００５２】
すなわち、通学定期の発行時に、通学定期１００と、この通学定期１００とは別に携帯している無線ＩＣカード化されている割引証明書（ＩＣ通学証カード等）１０３のメモリ１０４とに共通のＩＤコードを登録しておく。これにより、上記通学定期１００により改札処理が行われる際に、この通学定期１００に登録されているＩＤコードとＩＣカード化されている割引証明書１０３に登録されているＩＤコードとが一致するか否かで、通学定期１００の正当性（有効性、他の乗車券と重複使用されていない）を確認するものである。
【００５３】
通学定期としての無線ＩＣカード１００のメモリ１０１には、定期券の通用期間、区間、氏名、年令、割引の有無、割引の種類、割引証明書と共通のＩＤコード（後述する通学定期の発行時、第５の実施形態）（ＩＤコード記録エリア１０２）が記憶されている。割引証明書としてのＩＣカード１０３のメモリ１０４には、上記通学定期１００に記憶されるＩＤコード（ＩＤ番号）と同一のＩＤコードが後述する通学定期１００の発行時（第５の実施形態）に記憶されている。
【００５４】
次に、このような構成において、図１６に示すフローチャートを参照しつつ改札処理を説明する。
【００５５】
まず、所定の駅１の自動改札機５にて通学定期１００としての無線式ＩＣカードにより入場を行った際（ＳＴ５１）、改札部３３によりこの通学定期１００の記憶内容が読取られる（ＳＴ５２）。この読み取り内容により、制御部３１は通用期間、区間により入場できるか否かを判断する（ＳＴ５３）。さらに通学割引が判断された際、改札部３３により割引証明書としてのＩＣカード１０３のメモリ１０４からＩＤコードが読取られる（ＳＴ５４）。
【００５６】
これにより、制御部３１は、割引証明書としてのＩＣカード１０３のＩＤコードと通学定期１００のＩＤコードの一致をチェックし（ＳＴ５５）、一致した際、通学定期の正当性（有効性、他の乗車券と重複使用されていない）を判断する（ＳＴ５６）。これにより、その通学定期１００の所持者に対する自動改札機５による入場を許可する（ＳＴ５７）。
【００５７】
また、上記ステップ５３により入場不可が判断された際、及び上記ステップ５５のチェックの結果、割引証明書１０３のＩＤコードと通学定期１００のＩＤコードが一致しなかった際、その通学定期１００の所持者に対する自動改札機５による入場を禁止する（ＳＴ５８）。
【００５８】
この正当性の判断により、あらかじめ発行時に割引証明確認が終了している乗車券として取り扱い、自動改札機５での割引証明の確認は行わない。
また、上記通学定期１００による出場時にも、上記入場時と同様の確認処理を行うようにしても良い。
なお、身障者定期の無線ＩＣカード１００の場合も上記同様に改札処理が行われるようになっている。
【００５９】
また、上記ＩＣカード１００のメモリ１０１のＩＤコード記録エリア１０２が空白で上記のＩＤコードが記録されていない場合は、自動定期券発売機６側で割引証明確認が終了している定期券として取り扱い、自動改札機５での割引証明の確認は行わない。
【００６０】
上記したように、自動改札機５において、確認された乗車券が運賃割引された券種である場合は、「ＩＣカードになっている割引証明書（ＩＣ通学証カード等）」の有無と有効性をチェックして、通過可否判定を行う。上記のＩＣカード（割引証明書）と乗車券には、同じＩＤコードが乗車券発行時に記録されているものとし、ＩＤコードが一致する事により乗車券とＩＣカードの有効性を保証する。上記の乗車券のＩＤコード記録エリアに何らかの情報がセットされている時のみ、「ＩＣカードになっている割引証明書（ＩＣ通学証カード等）」の有無と有効性をチェックして、通過可否判定を行う。ＩＤコード記録エリアに何れの情報も記録されていない場合は、発行機側で割引証明確認が終了しているもの見なし、自動改札機５では割引証明確認を行わない。
【００６１】
これにより、自動改札機において、運賃割引された乗車券の不正使用を防止できる。また、割引証明手段としての割引証明書ＩＣカード（ＩＣ通学証カード等）の不正使用も防止できる（他人の割引証明書ＩＣカードを借用する等の不正も防止できる）。また通学定期券などの割引定期券を一人で複数枚使用するなどの不正も防止できる。
【００６２】
さらに、自動定期券発売機側で割引証明確認が終了している乗車券に関しては、自動改札機で上記の割引証明書ＩＣカードを使用する必要がない。（本発明が適用されない既存運用で発券された乗車券に関しても、本発明の適用が可能となる。）
［第５の実施形態］
次に、第５の実施形態として、無線ＩＣカード化されている割引証明書（ＩＣ通学証カード等）により運賃割引された定期券（通学定期券や障害者定期券など）を新規に発売したり、継続定期券を発行するものについて説明する。
【００６３】
すなわち、運賃割引された定期券（無線ＩＣカード）の新規発行動作を、図１７、図１８に示すフローチャートを用いて説明する。
まず、利用者は、液晶表示部４３ａにより定期券の新規発行を指示するとともに、通用期間、通用区間、氏名、年齢、性別、電話番号を入力し、さらに割引有りを指示する（ＳＴ６１）。すると、制御部４１はその内容をメモリ４２に登録し（ＳＴ６２）、無線ＩＣカード化されている割引証明書（ＩＣ通学証カード等）の挿入を液晶表示部４３ａにより案内する（ＳＴ６３）。この案内に応じて、上記割引証明書をカード処理部４７に挿入する（ＳＴ６４）。この無線ＩＣカード化されている割引証明書の内容をカード処理部４７が読取り、制御部４１に出力する（ＳＴ６５）。制御部４１は、割引証明書の内容を確認し、上記割引き定期の発行を許可するか否かを判断する（ＳＴ６６）。
【００６４】
また、制御部４１は、割引証明書からの送信内容に、定期発行済みを意味するＩＤコードがあるか否かにより、上記割引き定期の発行を許可するか否かを判断する（ＳＴ６７）。
上記各判断により割引き定期の発行の許可を判断した際、制御部４１は液晶表示部４３ａにより発行する定期券の確認画面を表示し、現金あるいはクレジットカードによる支払い処理を案内する（ＳＴ６８）。
【００６５】
この案内に基づき支払い処理が行われた後（ＳＴ６９）、制御部４１はカード処理部４７に新規定期券の発行を指示する（ＳＴ７０）。これにより、カード処理部４７は無線カードホッパから新規発行用の無線式のＩＣカードを繰り出し、カード処理部４７のリライト印刷部により印刷消去及び印刷処理を行うことにより、新しい情報を印刷する（ＳＴ７１）。
この印刷内容は、定期券有効区間・期間・金額・購入者情報、割引内容等である。
【００６６】
この印刷処理が終了すると、制御部４１はカード処理部４７の無線Ｒ／Ｗ部により、定期券として発行した無線ＩＣカードに必要な情報が記録され、発行される（ＳＴ７２）。この際、定期発行済みを意味するＩＤコードが記録される。
また、制御部４１はカード処理部４７の無線Ｒ／Ｗ部により割引証明書としての無線ＩＣカードに上記定期発行済みを意味するＩＤコード（定期券として発行した無線ＩＣカードと同一）を登録する（ＳＴ７３）。
【００６７】
この結果、新規発行された定期としての無線ＩＣカードがカード処理部４７から発行され、割引証明書としての無線ＩＣカードがカード処理部４７から返却される（ＳＴ７４）。
【００６８】
上記ステップ６６、６７で発行が許可されなかった場合、エラー処理となる。
次に、運賃割引された定期券（無線ＩＣカード）の継続発行動作を、図１９〜図２１に示すフローチャートを用いて説明する。
まず、利用者は旧定期としての無線ＩＣカードをカード処理部４７に挿入する（ＳＴ８１）。この無線ＩＣカードの内容つまり通用期間、通用区間、氏名、年齢、性別、電話番号、通学割引き、ＩＤコードをカード処理部４７が読取り、制御部４１に出力する（ＳＴ８２）。制御部４１は、定期の内容をメモリ４２に登録しかつ確認し、上記継続定期を発行するか否かを判断する（ＳＴ８３）。
【００６９】
さらに、制御部４１は、継続定期の発行を判断した際、有効期間の入力を液晶表示部４３ａにより案内する（ＳＴ８４）。この案内に応じて、液晶表示部４３ａにより有効期間を入力する（ＳＴ８５）。
【００７０】
この入力された有効期間により制御部４１は、旧定期の有効期間に対して新たな有効期間が新年度になっているかあるいは新年度にまたがっているかを判断し（ＳＴ８６）、新たな有効期間が新年度になっているかあるいは新年度にまたがっている場合、無線ＩＣカード化されている割引証明書（ＩＣ通学証カード等）の挿入を液晶表示部４３ａにより案内する（ＳＴ８７）。
【００７１】
この案内に応じて、上記割引証明書をカード処理部４７に挿入する（ＳＴ８８）。この無線ＩＣカード化されている割引証明書の内容をカード処理部４７が読取り、制御部４１に出力する（ＳＴ８９）。制御部４１は、割引証明書の内容を確認し、上記割引き定期の発行を許可するか否かを判断する（ＳＴ９０）。
【００７２】
また、制御部４１は、割引証明書からの送信内容に、定期発行済みを意味するＩＤコードがあるか否かにより、上記割引き定期の発行を許可するか否かを判断する（ＳＴ９１）。
上記各判断により割引き定期の発行の許可を判断した際、制御部４１は液晶表示部４３ａにより発行する定期券の確認画面を表示し、現金あるいはクレジットカードによる支払い処理を案内する（ＳＴ９２）。
【００７３】
この案内に基づき発行する定期券の画面を確認し、支払い処理が行われた後（ＳＴ９３）、制御部４１はカード処理部４７に継続定期券の発行を指示する（ＳＴ９４）。これにより、カード処理部４７は旧定期券としての無線式のＩＣカードに対してし、カード処理部４７のリライト印刷部により印刷消去及び印刷処理を行うことにより、新しい情報を印刷する（ＳＴ９５）。
【００７４】
この印刷内容は、定期券有効期間である。
この印刷処理が終了すると、制御部４１はカード処理部４７の無線Ｒ／Ｗ部により、定期券として発行した無線ＩＣカードに必要な情報が記録され、発行される（ＳＴ９６）。
【００７５】
また、制御部４１はカード処理部４７の無線Ｒ／Ｗ部により割引証明書としての無線ＩＣカードに上記定期発行済みを意味するＩＤコード（定期券として発行した無線ＩＣカードと同一）を登録する（ＳＴ９７）。
この結果、新規発行された定期としての無線ＩＣカードがカード処理部４７から発行され、割引証明書としての無線ＩＣカードがカード処理部４７から返却される（ＳＴ９８）。
【００７６】
上記ステップ８６により、新たな有効期間が新年度になっていないあるいは新年度にまたがっていない場合、制御部４１は割引証明書の不要を判断し、上記割引き定期の発行を許可する。
この割引き定期の発行の許可を判断した際、制御部４１は液晶表示部４３ａにより発行する定期券の確認画面を表示し、現金あるいはクレジットカードによる支払い処理を案内する（ＳＴ９９）。
【００７７】
この案内に基づき発行する定期券の画面を確認し、支払い処理が行われた後（ＳＴ１００）、制御部４１はカード処理部４７に継続定期券の発行を指示する（ＳＴ１０１）。これにより、カード処理部４７は旧定期券としての無線式のＩＣカードに対してし、カード処理部４７のリライト印刷部により印刷消去及び印刷処理を行うことにより、新しい情報を印刷する（ＳＴ１０２）。
【００７８】
この印刷内容は、定期券有効期間である。
この印刷処理が終了すると、制御部４１はカード処理部４７の無線Ｒ／Ｗ部により、定期券として発行した無線ＩＣカードに必要な情報が記録され、発行される（ＳＴ１０３）。
【００７９】
上記したように、自動定期券発売機において、運賃割引された定期券（通学定期券や障害者定期券など）を新規に発売する場合は、「ＩＣカードになっている割引証明書（ＩＣ通学証カード等）」の有無と有効性をチェックし、有効であれば本定期券を発売許可する為の係員操作等が一切無くとも、定期券発行を許可する。また、上記のＩＣカード（割引証明書）と定期券には、同じＩＤコードを記録した上で、定期券を発行して、ＩＣカードを返却する。
【００８０】
上記のＩＤコードには発行した定期券の有効期間情報を含めたデータを記録し、その有効期間内に本ＩＣカードが再使用されたとしても、無効な割引証明書として判断する。これにより、１つのＩＣカードで複数枚の運賃割引された定期券発行が出来ないようにする。継続定期券を発行する為には、今まで使用していた定期券を旧券として挿入する必要があるが、その旧券にＩＤコードが記録されている場合も、ＩＣカード（割引証明書）の有無と有効性をチェックする。有効であれば、新券の有効期間が年度をまたぐかまたがないに関係なく、運賃割引された継続定期券発行を許可する。これにより、他人の定期券を旧券として使用した、不正な継続定期券発行が出来ないようにする。
【００８１】
また、継続定期券を発行する時、挿入された旧券にＩＤコードが記入されていない場合は、係員定発機等で発行された割引証明確認済みの運賃割引定期券であるか、または普通定期券の旧券と見なす。この時はＩＣカード（割引証明書）確認は行わない。但し、運賃割引定期券の発行で且つ新券の有効期間が年度をまたぐ場合は、新規の発売と見なして、ＩＣカード（割引証明書）の有無と有効性をチェックする。
【００８２】
これにより、自動乗車券類発行装置に於いて、駅係員よる確認事項や操作がなくても、全ての種類の乗車券が発売可能になり、駅の係員無人化が容易になる。
また、不正購入を防止できると共に、継続定期券発行に於ける新券の有効期間制限等を排除出来る。
【００８３】
さらに、駅係員による割引証明確認が終了している定期券の継続発売を行う時は、本自動乗車券類発行装置に於ける割引証明確認は不要となる。（本発明が適用されない既存運用で発券された乗車券に関しても、本発明の適用が可能となる）。
【００８４】
【発明の効果】
以上詳述したように、この発明によれば、駅混雑時や年配者または障害者等が顧客でも、無線ＩＣカードの残額照会が可能になる。
また、運賃割引された乗車券の不正使用を防止できる。
【図面の簡単な説明】
【図１】この発明の実施形態に係る駅務システムの概略構成を示す図。
【図２】駅務システムの概略構成を示すブロック図。
【図３】自動券売機の外観斜視図。
【図４】自動券売機の上部の接客部を示す図。
【図５】自動券売機の下部の接客部を示す図。
【図６】表示部の料金釦表示部での表示例を示す図。
【図７】表示部の料金釦表示部での表示例を示す図。
【図８】表示部の料金釦表示部での表示例を示す図。
【図９】乗車券の購入処理を説明するためのフローチャート。
【図１０】表示部の料金釦表示部での表示例を示す図。
【図１１】精算処理を説明するためのフローチャート。
【図１２】精算処理を説明するための図。
【図１３】顧客管理データベースの記憶例を示す図。
【図１４】改札処理を説明するためのフローチャート。
【図１５】改札処理を説明するためのフローチャート。
【図１６】改札処理を説明するためのフローチャート。
【図１７】運賃割引された定期券の新規発行動作を説明するためのフローチャート。
【図１８】運賃割引された定期券の新規発行動作を説明するためのフローチャート。
【図１９】運賃割引された定期券新規発行動作を説明するためのフローチャート。
【図２０】運賃割引された定期券の新規発行動作を説明するためのフローチャート。
【図２１】運賃割引された定期券の新規発行動作を説明するためのフローチャート。
【符号の説明】
１…駅、２…駅制御装置、３…自動精算機、４…自動券売機、５…自動改札機、６…自動定期券発売機、７…回線、１０…ホストコンピータ、１０ａ…顧客管理データベース、１１…制御部、１２…メモリ、１３…操作部、１３ａ…液晶表示部、１４…精算部、１６…現金処理部、１７…カード処理部、２１…制御部、２２…メモリ、２２ａ…表示データメモリ部、２３…操作部、２４…発券部、２６…現金処理部、２７…カード処理部、３１…制御部、３２…メモリ、３３…改札部、４１…制御部、４２…メモリ、４３…操作部、４３ａ…液晶表示部、４４…発行部、４７…カード処理部、５１…制御部、５２…メモリ　５３…通信制御部、６１…固定案内表示部、６２．６３…接客部、６４…表示部、６４ａ…料金釦、６４ｂ…釦下部表示釦、６４ｃ…次頁釦、６４ｄ…釦上部表示釦、６４１…投入金額表示部、６４２…料金釦表示部、１００…通学定期１０１…メモリ、１０２…ＩＤコード記録エリア、１０３…割引証明書、１０４…メモリ。
【図１】
2004038791.tif 000003
【図２】
2004038791.tif 000004
【図３】
2004038791.tif 000005
【図４】
2004038791.tif 000006
【図５】
2004038791.tif 000007
【図６】
2004038791.tif 000008
【図７】
2004038791.tif 000009
【図８】
2004038791.tif 000010
【図９】
2004038791.tif 000011
【図１０】
2004038791.tif 000012
【図１１】
2004038791.tif 000013
【図１２】
2004038791.tif 000014
【図１３】
2004038791.tif 000015
【図１４】
2004038791.tif 000016
【図１５】
2004038791.tif 000017
【図１６】
2004038791.tif 000018
【図１７】
2004038791.tif 000019
【図１８】
2004038791.tif 000020
【図１９】
2004038791.tif 000021
【図２０】
2004038791.tif 000022
【図２１】
2004038791.tif 000023